(57)【要約】【課題】ＲＦＩＤタグを外部から通信可能に組み込んだマンホール蓋用ロック装置を提供する。【解決手段】共同溝等の出入り口の蓋用施錠装置１は、固定筒体２と、内筒３と、掛金４と、キャップ体５と、このキャップ体５の下面に固着される電源不要な半導体記憶素子６とを具備する。半導体記憶素子６は、軸方向両端部間に通信可能な磁界Ｈを形成する棒状のＲＦＩＤタグである。キャップ体５は、下面側に形成されたＲＦＩＤタグ６を受け入れる凹部５ａと、当該ＲＦＩＤタグの両端からキャップ体の下面側・外周面側を経て上方に開放するように連続して形成され、磁界Ｈを形成する磁束漏洩溝５ｆとを具備する。【選択図】図１
2014221990.tif 000002
【特許請求の範囲】
【請求項１】
共同溝等の出入り口の蓋に固定される鍔部を備え、上方に開放する固定筒体と；この固定筒体に回転可能に挿入され、シャフト部を固定筒体から下方へ突出させ、上面部に鍵穴を有する内筒と；前記シャフト部に固着され、前記内筒の回転により前記共同溝の出入り口の固定壁に形成された受部に対して係合・離脱する掛金と；前記固定筒体の上部開放部を閉じるキャップ体と；このキャップ体の下面に固着される電源不要な半導体記憶素子とを具備し；前記半導体記憶素子は、軸方向両端部間に通信可能な磁界を形成する棒状のＲＦＩＤタグであり；前記キャップ体は、下面側に形成される前記ＲＦＩＤタグを受け入れる凹部と、当該ＲＦＩＤタグの両端からキャップ体の下面側・外周面側を経て上方に開放するように連続し磁束を漏洩させることによって前記蓋の上方に前記磁界を形成する磁束漏洩溝と、を具備することを特徴とする共同溝等の出入り口の蓋用施錠装置。
【請求項２】
前記固定筒体は、内周上部にねじ部を備え；前記キャップ体は、円形の天板部と、この天板部を囲む環状壁部とを有する扁平筒状体からなり；前記環状壁部は、外周に前記固定筒体の内周ねじ部に螺合する対応ねじ部を備え；前記天板部は、下面に前記ＲＦＩＤタグを受け入れる凹部を備え、上面側に回転操作用の有底の鍵穴を備えることを特徴とする請求項１に記載の共同溝等の出入り口の蓋用施錠装置。
【請求項３】
前記キャップ体は、鉄製で、円形の天板部と、この天板部を囲む環状壁部とを有する扁平筒状体からなり；前記環状壁部は、前記天板部の上面が前記蓋の上面とほぼ面一になるようの前記固定筒体の上端部に嵌合し；前記天板部の上面を磁気吸着して取り外し可能に構成されることを特徴とする請求項１に記載の共同溝等の出入り口の蓋用施錠装置。
【発明の詳細な説明】
【技術分野】
【０００１】
本発明は、通信ケーブル、送電ケーブル、上下水道管等が敷設される共同溝等の出入り口の蓋に使用される施錠装置に関する。
【背景技術】
【０００２】
従来、マンホール蓋用ロック装置として、特許文献１に記載されたものが知られている。このロック装置は、中心軸線を上下方向に配置してマンホール蓋に固着され、上端開口部の内周面に雌螺子部を形成した固定外筒と、固定外筒に全体を挿入され、ケーシングが固定外筒に対して回転不能に拘束されており、ロータに連動装備した錠止板が固定外筒の内周面の拡径受溝に係合することによって、固定外筒からの抜取りを阻止され、ロータに挿入した鍵体でロータを回転させることによって、錠止板が拡径受溝から脱出する錠ユニットと、ユニットの下側において固定外筒に回転可能に挿入され、上端部にロック操作具の駆動部が係合する受動部を設けたロック軸と、固定外筒から突出したロック軸の下部に固着され、ロック操作具の回転操作によってマンホール外枠の受金部と係脱する止め金体とからなり、ロック操作具の駆動部は、マグネットによってロック操作具の本体部分に吸着保持されるビット筒の底壁に形成されており、ビット筒の外側面には、固定外筒の内周面の縦溝を経由して固定外筒の拡径受溝に入り込む制止突起を設けてあり、止め金体を解錠位置に回してからロック操作具を固定外筒から抜取るとき、制止突起が拡径受溝の段差壁面に当接することによって、ビット筒がロック操作具の本体部分から分離され、ビット筒が固定外筒の内部に残置されるものである。
一方、特許文献２には、ＲＦＩＤタグ（ Radio Frequency IDentification TAG）を金属製のマンホールの蓋等に設置する構造が記載されている。ＲＦＩＤタグは、電磁波を利用してリードライト端末機等と非接触で通信を行う電源不要な半導体記憶素子であり、これにマンホールの設置年月日情報、マンホール内敷設物の情報等を記録しておくことができる。マンホールの蓋のような導電性部材の設置溝内にＲＦＩＤタグが固定される。設置溝は、導電性部材の表面側に開放する。設置溝の開放部は、非導電性材料からなるスペーサを介在させて、保護体である導電性の板体で閉じられる。導電性部材と板体との間の非導電性材料により、ＲＦＩＤタグの両端からの漏れ磁束を生じさせる。磁束漏洩路から発生する漏れ磁束により形成される磁界を利用してＲＦＩＤタグに記憶された情報をリードライト端末機等により取り出すことが出来る。
【先行技術文献】
【特許文献】
【０００３】
【特許文献１】特開２００７−３２２３０号公報
【特許文献２】特開２００２−１５７５６５号公報
【発明の概要】
【発明が解決しようとする課題】
【０００４】
本発明は、ＲＦＩＤタグを外部から通信可能に組み込んだマンホール蓋用ロック装置を提供することを目的としている。
【課題を解決するための手段】
【０００５】
以下、添付図面の符号を参照して説明するが、本発明はこれに限定されるものではない。
上記課題を解決するための、本発明の共同溝等の出入り口の蓋用施錠装置１は、共同溝等の出入り口の蓋２１に固定される鍔部２ａを備え、上方に開放する固定筒体２と、固定筒体２に回転可能に挿入され、シャフト部３ｂを固定筒体２から下方へ突出させ、上面部に鍵穴３ｃを有する内筒３と、シャフト部３ｂに固着され、内筒３の回転により共同溝の出入り口の固定壁２２に形成された受部２２ａに対して係合・離脱する掛金４と、固定筒体２の上部開放部を閉じるキャップ体５と、このキャップ体５の下面に固着される電源不要な半導体記憶素子６とを具備する。半導体記憶素子６は、軸方向両端部間に通信可能な磁界Ｈを形成する棒状のＲＦＩＤタグである。キャップ体５は、下面側に形成されたＲＦＩＤタグ６を受け入れる凹部５ａと、当該ＲＦＩＤタグの両端からキャップ体の下面側・外周面側を経て上方に開放するように連続して形成され、磁界Ｈを形成する磁束漏洩溝５ｆと、を具備する。
【発明の効果】
【０００６】
本発明の共同溝等の出入り口の蓋用施錠装置は、内部に組み込まれたＲＦＩＤタグの磁束を外部へ漏出させて、外部から通信可能であり、蓋本体に特別の加工を施すことなく、また既存の蓋にも容易にＲＦＩＤタグを取り付けることができる。
【図面の簡単な説明】
【０００７】
【図１】本発明の一実施形態に係る共同溝等の出入り口の蓋用施錠装置の施錠状態における縦断面図である。
【図２】図１の蓋用施錠装置の平面図である。
【図３】図１の蓋用施錠装置におけるキャップ体を示すもので、（Ａ）は平面図、（Ｂ）は縦断面図、（Ｃ）は底面図である。
【図４】本発明の他の実施形態に係る共同溝等の出入り口の蓋用施錠装置の施錠状態における縦断面図である。
【図５】図４の蓋用施錠装置におけるキャップ体を示すもので、（Ａ）は平面図、（Ｂ）は縦断面図、（Ｃ）は底面図である。
【発明を実施するための形態】
【０００８】
図面を参照して本発明の実施の形態を説明する。
図１ないし図３において、施錠装置１は、共同溝等の出入り口の蓋２１に固定される鍔部２ａ備え、上方に開放する固定筒体２を具備する。固定筒体２は蓋２１の垂直受孔２１ａに嵌め込まれ、鍔部２ａにおいてボルトで蓋２１の下面側に固着される。固定筒体２は、上端部の内周にねじ部２ｂを有し、内径が下方の段部２ｃを介して縮小する。
【０００９】
内筒３が、固定筒体２に回転可能に挿入される。内筒３は、上部に大径の頭部３ａを有し、下部に固定筒体２から下方へ突出するシャフト部３ｂを具備する。頭部３ａの下面が固定筒体２の内周段部２ｃに載って下方へ抜け止めされる。頭部３ａの上面側には、六角穴状の鍵穴３ｃが形成される。
【００１０】
固定筒体２から下方へ突出した内筒３のシャフト部３ｂには、直角方向に延出する掛金４が固着される。掛金４は、内筒３の正逆９０°の回転により共同溝の出入り口の固定壁２２に形成された受部２２ａに対して係合・離脱する。
【００１１】
固定筒体２の上部開放部は、キャップ体５により閉じられる。キャップ体５は、金属製で、円形の天板部５ａと、この天板部５ａを囲む環状壁部５ｂとを有する。環状壁部５ｂは、外周に、固定筒体２の内周ねじ部２ｂに螺合する外周ねじ部５ｃを備える。天板部５ａは、下面部に、ＲＦＩＤタグ６を受け入れる凹部５ｄを備え、上面部に回転操作用の有底の鍵穴５ｅを備える。キャップ体５は、天板部５ａの上面が蓋２１の上面とほぼ面一になるように、固定筒体２の上端部に螺合される。
【００１２】
ＲＦＩＤタグ６は、棒状体で、接着剤で凹部５ｄ内に固着される。ＲＦＩＤタグ６は、軸方向両端部間に通信可能な磁界Ｈを形成する。
【００１３】
キャップ体５は、ＲＦＩＤタグ６の両端部から、キャップ体５の下面側と外周面側を経て上方に開放するように連続する磁束漏洩溝５ｆを有する。磁束漏洩溝５ｆの上方への開放部は、キャップ体５の円形上面の対向部に位置する。開放部の位置を示す表示凹部５ｇがキャップ体５の円形上面に形成される。非導電性材料からなるＯリング７は磁束漏洩の障害とならない。ＲＦＩＤタグ６は、キャップ体５の磁束漏洩溝５ｆを通る漏れ磁束により、蓋体２１の上方に、通信可能な磁界Ｈを形成する。ＲＦＩＤタグ６と図示しない外部のリードライト端末機等との間で電力送電媒体及び情報通信媒体である交流磁界を相互に送受信してＲＦＩＤタグ６に記憶された情報を取り出す。
【００１４】
図４，５に示す他の実施形態において、キャップ体８は、鉄製で、円形の天板部８ａと、この天板部８ａを囲む環状壁部８ｂとを有する扁平筒状体からなる。環状壁部８ｂは、天板部８ａの上面が蓋２１の上面とほぼ面一になるように、固定筒体２の上端部外側に嵌合する。蓋２１には、固定筒体２の上端部の周りに、キャップ体８を受け入れる凹部２１ｂが形成される。キャップ体８は、磁気吸着させることにより、固定筒体２上から取り外すことができる。
【００１５】
キャップ体８の天板部８ａは、下面部に、ＲＦＩＤタグ６を受け入れる凹部８ｄを備える。キャップ体８は、天板部８ａの上面が蓋２１の上面とほぼ面一になるように、固定筒体２の上端部に螺合される。ＲＦＩＤタグ６の両端部から、キャップ体５の下面側と外周面側を経て上方に開放するように連続する磁束漏洩溝８ｆを有する。磁束漏洩溝８ｆの上方への開放部は、キャップ体８の円形上面の対向部に位置する。開放部の位置を示す表示凹部８ｇがキャップ体５の円形上面に形成される。その他の構成は先の実施形態と同等であるから、図中に同一の符号を付して説明を省略する。
【００１６】
なお、キャップ体８と内筒３との間に、シリンダー錠ユニットを介在させ、これを解錠して固定筒体２から抜き取った後、内筒３の操作を行うことができるように構成することができる。
【００１７】
以上のように構成された共同溝等の出入り口の蓋用施錠装置は、内部に組み込まれたＲＦＩＤタグ６の磁束を外部へ漏出させて、外部から通信可能であり、蓋２１の本体に特別の加工を施すことなく、また施錠装置を取り付けることができる既存の蓋２１にも容易にＲＦＩＤタグを取り付けることができる。
【符号の説明】
【００１８】
１    施錠装置
２    固定筒体
２ａ  鍔部
２ｂ  内周ねじ部
２ｃ  内周段部
３    内筒
３ａ  頭部
３ｂ  シャフト部
３ｃ  鍵穴
４    掛金
５    キャップ体
５ａ  天板部
５ｂ  環状壁部
５ｃ  外周ねじ部
５ｄ  凹部
５ｅ  鍵穴
５ｆ  磁束漏洩溝
５ｇ  表示凹部
６    ＲＦＩＤタグ
７    Ｏリング
８    キャップ体
８ａ  天板部
８ｂ  環状壁部
８ｄ  凹部
８ｆ  磁束漏洩溝
８ｇ  表示凹部
２１  蓋
２１ａ  垂直受孔
２１ｂ  凹部
２２  固定壁
２２ａ  受部
【図１】
2014221990.tif 000003
【図２】
2014221990.tif 000004
【図３】
2014221990.tif 000005
【図４】
2014221990.tif 000006
【図５】
2014221990.tif 000007